(57)【要約】【課題】  本発明の第１の目的は、不正にコインを抜き取ることを防止できる金庫式コイン払出装置を提供することである。  本発明の第２の目的は、不正にコインを抜き取ることを防止できる金庫式コイン払出装置を、簡単な装置により安価に提供することである。【解決手段】  孔付き回転ディスクを上部開口を有するコイン収納ボウルの底部に配置し、かつ、モータによって前記回転ディスクを回転するコイン払出装置、前記をコイン払出装置内蔵すると共にコイン処理装置に着脱可能であって、前記コイン払出装置からのコインの払出口のための開口を有する安全カバー、及び、少なくとも、前記安全カバーが前記コイン処理装置から取り外された場合、前記回転ディスクを外部から作動不能にする作動不能化装置を含む金庫式コイン払出装置である。【選択図】図４
2005267133.tif 000002
【特許請求の範囲】
【請求項１】
孔付き回転ディスク（１６０）を上部開口を有するコイン収納ボウル（１７０）の底部に配置し、かつ、モータ（１７４）によって前記回転ディスクを回転するコイン払出装置（１，１０，５０，１００）、
前記コイン払出装置を内蔵すると共にコイン処理装置（１０１）に着脱可能であって、前記コイン払出装置からのコインの出口（１９０）のための払出口（２０４）を有する安全カバー（１６４）、及び、
少なくとも、前記安全カバーが前記コイン処理装置から取り外された場合、前記回転ディスクを外部から作動不能にする作動不能化装置（１６６）
を含む金庫式コイン払出装置。
【請求項２】
前記作動不能化装置（１６６）が、回転ディスク（１６０）をロックする回転阻止装置（２２２）である請求項１の金庫式コイン払出装置。
【請求項３】
前記モータ（１７４）が電気モータであり、前記回転ディスク（１６０）が前記モータによって伝達機構（１７６）を介して駆動され、前記回転阻止装置（２２２）が前記伝達機構に噛みあう停止歯（２２８）である請求項２記載の金庫式コイン払出装置。
【請求項４】
前記作動不能化装置（１６６）が、前記コインの払出口（２０４）を遮蔽するシャッタ（２３６）である請求項１の金庫式コイン払出装置。
【請求項５】
前記モータ（１７４）作動用のコネクタ（２１２）の開口（２１０）が、前記安全カバー（１６４）の前記コイン処理装置（１０１）への装着時の進行方向前面に位置している請求項１の金庫式コイン払出装置。
【発明の詳細な説明】
【技術分野】
【０００１】
本発明は、コイン処理装置に着脱可能なコイン払出装置に関する。
さらには、コイン払出装置がコイン処理装置から取り出された場合、そのコイン払出装置から不正にコインを抜き取られないようにした金庫式コイン払出装置に関する。
さらに詳細には、簡単な機構によって不正にコインを抜き取られないようにした金庫式コイン払出装置に関する。
なお、コイン処理装置の代表例は、自動両替機や自動釣り銭等である。
本明細書において、コインとは、ゲーム用のトークン等も含んでいる。
【背景技術】
【０００２】
第１の従来技術として、蓋がロック可能な箱形の金庫装置内に、孔付きの回転ディスクによってコインを払い出す二つのホッパーを配置した装置が知られている（例えば、特許文献１参照。）。
また、第２の従来技術として、上部開口を有するコイン保留ボウルの下部に位置する、電気モータによって回転される孔付き回転ディスクによってバラ積みのコインを一つずつ払い出すコインホッパが知られている（例えば、特許文献２参照。）。
【０００３】
【特許文献１】特許第２５１４８２５号（図１―３、第２―４頁）
【特許文献２】特開平１１―２５０３０１号（図１―５、第２―３頁）
【０００４】
前記第１の従来技術は、コイン処理装置である料金装置にコイン払出装置である金庫装置を取り付けた場合、自動的にその蓋であるシャッタが開放され、料金装置で受け入れたコインを金庫装置に受け入れることが可能になる。
しかし、金庫装置を料金装置から取り外した場合、前記シャッタは自動的に閉じられず、また、ホッパのコインの払い出し口が開放され、かつ、回転ディスクの駆動部が露出しているため、回転ディスクを手動で回され、不正にコインを抜き取られるという問題がある。
【０００５】
また、特許文献２に開示のコインホッパを特許文献１のホッパに置き換えた場合であっても、コインの払出口が開放されているため、その払出口から器具を挿入して回転ディスクを回転させ、不正にコインを抜き取られる問題がある。
【発明の開示】
【発明が解決しようとする課題】
【０００６】
本発明の第１の目的は、不正にコインを抜き取ることを防止できる金庫式コイン払出装置を提供することである。
本発明の第２の目的は、不正にコインを抜き取ることを防止できる金庫式コイン払出装置を、簡単な装置により安価に提供することである。
【課題を解決するための手段】
【０００７】
この目的を達成するため、本発明にかかる金庫式コイン払出装置は以下のように構成される。
孔付き回転ディスクを上部開口を有するコイン収納ボウルの底部に配置し、かつ、モータによって前記回転ディスクを回転するコイン払出装置、前記コイン払出装置を内蔵すると共にコイン処理装置に着脱可能であって、前記コイン払出装置からのコインの払出口のための開口を有する安全カバー、及び、少なくとも、前記安全カバーが前記コイン処理装置から取り外された場合、前記回転ディスクを外部から作動不能にする作動不能化装置を含む金庫式コイン払出装置である。
【発明の効果】
【０００８】
この構成において、コインを払い出すためのコイン払出装置は安全カバーに内蔵されるので、安全カバーをコイン処理装置から取り出した場合、その上部開口は安全カバーにより覆われ、コイン払出装置の収納ボウル内にバラ積みされているコインを取り出すことが出来ない。
さらに、コインを払い出すための回転ディスクは、作動不能化装置によって、回転されないから、コイン払出口から器具を挿入して回転ディスクを回転させることが出来ない。
したがって、収納ボウル内のコインは回転ディスクによって払い出されないので、コインを不正に抜き取られることがない。
【０００９】
請求項２に記載の発明は、前記作動不能化装置が、回転ディスクをロックする回転阻止装置である請求項１の金庫式コイン払出装置である。
この構成において、回転阻止装置によって回転ディスクは回転不能にされる。
したがって、回転ディスクが安全カバーのコイン払出口から挿入された器具によって回転力を受けた場合、回転阻止装置によって回転不能であるので、コイン払出装置内のコインは払い出されることがない。
【００１０】
請求項３に記載の発明は、前記モータが電気モータであり、前記回転ディスクが前記モータによって伝達装置を介して駆動され、前記回転阻止装置が前記伝達装置に噛みあう停止歯である請求項２記載の金庫式コイン払出装置である。
この構成において、安全カバーがコイン処理装置から取り外された場合、電気モータから回転ディスクまでの伝達装置に停止歯が噛みあうことにより、コインを払い出すための回転ディスクはロックされる。
したがって、回転ディスクが安全カバーのコイン払出口から挿入された器具によって回転力を受けた場合、伝達装置と噛みあう停止歯によって回転不能にされるので、コイン払出装置内のコインは払い出されることがない。
【００１１】
請求項４に記載の発明は、前記作動不能化装置が、前記コイン払出口を遮蔽するシャッタである請求項１の金庫式コイン払出装置である。
この構成において、金庫式コイン払出装置がコイン処理装置から取り外された場合、安全カバーのコイン払出口はシャッタ装置によって閉じられる。
したがって、この払出口から器具を挿入することが出来ないため、コインを払い出すための回転ディスクはロックされた状態と同様になる。
したがって、回転ディスクは外部から回転不能にされるので、コイン払出装置内のコインは払い出されることがない。
【００１２】
請求項５に記載の発明は、前記モータ作動用のコネクタの開口が、前記安全カバーの前記コイン処理装置への装着時の進行方向前面に位置している請求項１の金庫式コイン払出装置である。
この構成において、コイン払出装置からのコイン払出口及びモータの駆動エネルギー供給のためのコネクタの開口が安全カバーの進行方向前面に位置している。
コイン処理装置側には、これらに対応してコネクタ及びコイン受け入れ口が配置されているので、安全カバーを押し込むのみでコネクタが接続され、かつ、コイン通路が連通され、何ら特別の装着作業が不要である利点を有する。
【発明を実施するための最良の形態】
【００１３】
本発明の最良の形態は、孔付き回転ディスクを上部開口を有するコイン収納ボウルの底部に配置し、かつ、モータによって前記回転ディスクを回転するコイン払出装置、前記コイン払出装置を内蔵すると共にコイン処理装置に着脱可能であって、前記コイン払出装置からのコインの払出口及び前記モータの駆動エネルギー供給のための開口を有する安全カバー、及び、前記モータが電気モータであり、前記回転ディスクが前記モータによってギヤを介して駆動され、前記安全カバーがコイン処理装置から取り外された場合、前記ギヤに噛みあう停止歯によって前記回転ディスクをロックする金庫式コイン払出装置である。
【実施例】
【００１４】
図１（Ａ）は、実施例の金庫式コイン払出装置をコイン処理装置である釣り銭機に装着した状態の釣り銭機の断面図である。
図１（Ｂ）は、図１（Ａ）のＸ―Ｘ線断面図である。
図２は、実施例のコイン処理装置のダクトの分解斜視図である。
図３は、実施例の金庫式コイン払出装置の斜視図である。
図４は、実施例の金庫式コイン払出装置の回転ディスクの軸心を通る線上の断面図である。
図５は、実施例の金庫式コイン払出装置のコイン払出口部の断面図である。
図６は、実施例の金庫式コイン払出装置を釣り銭機に装着した状態の払出口部の断面図である。
図７は、実施例の金庫式コイン払出装置の回転ディスクの作動不能化装置の概略図である。
【００１５】
以下の実施例において、日本円を例に説明するが、米ドルコイン、ユーロコインにも適用できる。
図１（Ａ）において、コイン処理装置１０１は、例えば、複数種のコインのそれぞれを指示信号に基づいて所定数払い出す自動釣り銭機或いはコインＡＴＭ等である。
【００１６】
５０円用の金庫式コイン払出装置５０、１００円用の金庫式コイン払出装置１００、１０円用の金庫式コイン払出装置１０および１円用の金庫式コイン払出装置１が縦方向に所定の間隔で配置した仕切り板１０２、１０４、１０６および１０８で仕切ることにより、上下方向に一列に整列配置された金庫室１１２、１１４、１１６および１１８に着脱可能に配置されている。
このコイン払出装置５０、１００、１０、１の配列は一例であり、適宜変更することができる。
【００１７】
しかし、下方に払出個数の多い金種用コイン払出装置を配置し、上方に払出個数の少ない金種用コイン払出装置を配置し、または、下方に軽量金種用コイン払出装置を配置し、上方に重量金種用コイン払出装置を配置した場合、コインの総払出時間を可及的に短縮できる効果がある。
これらコイン払出装置５０、１００、１０及び１から一個ずつ払い出されたコインは、金庫室に隣接配置され、縦方向に延びる落下ダクト１２０に払い出される。
【００１８】
落下ダクト１２０を落下したコインは、その下方に配置されたベルト等の横方向搬送装置１２２上に落下した後、横方向に搬送されてリフト装置１２４に受け渡され、リフト装置１２４によって上方へ持ち上げられる。
横方向搬送装置１２２は、落下したコインを落下ダクト１２０から離れるように搬送する機能を有するので、斜め上方或いは下方へ移動するようにしてもよい。
【００１９】
リフト装置１２４によって持ち上げられたコインは、椀状の受取口１２６に払い出され、利用者に提供される。
落下ダクト１２０への金庫室１１２、１１４、１１６及び１１８からの払出口１３２、１３４，１３６及び１３８は、図１（Ｂ）に示すように、落下ダクト１２０を画定するプレート２０５において右方に偏って配置されている。
【００２０】
払出口１３２、１３４，１３６及び１３８から払い出されたコインは、それぞれ払出口１３２、１３４，１３６及び１３８の直ぐ下方に配置され、コインの払い出し方向と直行方向に傾斜する第１傾斜ガイド板１４２、１４４、１４６及び１４８（図２参照）上に落下して図１（Ｂ）において左方へ案内された後、上下に延びる落下通路１５０を落下して、横方向搬送装置１２２上に落下する。
【００２１】
最上位に位置する第１傾斜ガイド板１４２の下方には、第１傾斜ガイド板１４２に対し直交方向に延びる第２傾斜ガイド板１４３が配置されている。
二番目に位置する第１傾斜ガイド板１４４の下方には、第２傾斜ガイド板１４４に対し直交方向に延びる第２傾斜ガイド板１４５が配置されている。
【００２２】
第１傾斜ガイド板１４２、１４４、１４６及び１４８、第２傾斜ガイド板１４３及び１４５は、払い出されたコインの横方向搬送装置への落下速度を減速するための減速装置１５２である。
すなわち、各払出口１３２、１３４、１３６及び１３８から払い出されるコインは、ほぼ水平状態であるので、第１傾斜ガイド板１４２、１４４、１４６及び１４８、第２傾斜ガイド板１４３、１４５に対しそれぞれ面接触して案内される。
【００２３】
したがって、それらガイド板による摩擦抵抗によって減速された後、各払出口１３２、１３４、１３６及び１３８よりも低位の傾斜ガイド板１４３、１４５、１４６及び１４８の各端部から落下するので、横方向搬送装置１２２に落下する速度が減速され、跳ね返りによるコインの踊りを抑制できるので、コインの速やかな搬送に効果がある。
【００２４】
減速装置１５２は図２に示すように高位に位置する第１傾斜ガイド板１４２、１４４のそれぞれの下方に第２傾斜ガイド板１４３、１４５を配置してジグザグ状にすることにより、減速効果を増加することができる。
さらに、上位のコイン払出装置５０及び１００から払い出されたコインは、第２傾斜ガイド板１４３、１４５の下端部から落下した後、傾斜配置された第３傾斜ガイド板１４７に落下して横方向に案内されて後、横方向搬送装置１２２上に落下する。
【００２５】
また、下位のコイン払出装置１０及び１から払い出されたコインは、第１傾斜ガイド板１４６及び１４８から直接横方向搬送装置１２２上に落下するので、コインの落下位置が分散し、リフト装置１２４によるリフトがスムーズに行える利点がある。
【００２６】
次に本発明に係る金庫式コイン払出装置５０、１００、１０及び１の構造を図３から７を参照して説明する。
これら金庫式コイン払出装置５０、１００、１０及び１は、同一構造であるので、代表して最上位に配置される金庫式コイン払出装置５０を説明する。
金庫式コイン払出装置５０は、回転ディスク１６０を備えるコインホッパ１６２、コインホッパ１６２を内蔵する安全カバー１６４及び回転ディスク１６０の作動不能化装置１６６を含んでいる。
【００２７】
次に、コインホッパ１６２を説明する。
コインホッパ１６２は、中空であって板状のベース１６８の上面に着脱可能に取り付けられたコイン収納ボウル１７０、ボウル１７０の下部の円形孔１７２に配置した回転ディスク１６０、ベース１６８の上面に固定したモーター１７４（本実施例では、電気モータ）及びモータ１７４の回転を回転ディスク１６０に伝達する伝達機構１７６（図７参照）を含んでいる。
【００２８】
モータ１７４は、エアモータ、オイルモータ等を使用可能であるが、小型化及び付帯装置の観点で電気モータが好ましい。
本実施例における伝達機構１７６は、複数のギヤ１７８よりなる歯車伝達機構である。
しかし、モータ１７４の回転を回転ディスク１６０の所定の回転速度に変換する機能を有していれば、他の伝達機構に変更することができる。
【００２９】
ボウル１７０は、縦方向に延びる筒状であり、上部開口１８０が矩形であり、かつ、下部開口が円形孔１７２である。
回転ディスク１６０は、コインを受け入れるための通孔１８２を等間隔で複数形成され、その下面にベース１６８側に突出するコイン押出突条１８４有し、ベース１６８上面に形成された円形穴１８６内にその下部が配置されている。
【００３０】
回転ディスク１６０は、ギヤ１７８を固定した回転軸１８８に固定されている。
円形穴１８６及び円形孔１７２の一部が切り欠かれ、コイン出口１９０が形成されている。
回転ディスク１６０の通孔１８２に落下したコインは、ベース１６８の上面に支えられ、かつ、円形穴１８６の内周面に案内されて回転ディスク１６０と共に移動し、前記コイン出口１９０において押出突条１８４によって押し出され、図示しない弾き出し装置で弾き出される。
【００３１】
また、弾き出し装置の動作を検知するセンサ（図示せず）により、コインのカウント信号を出力する。
このコインホッパ１６２は、例えば特開2000-132723に開示されるホッパを用いることが好ましい。
【００３２】
次に、安全カバー１６４を説明する。
安全カバー１６４は、上面が開放された有底箱型のカバー本体１９２、および、前記上面を覆う蓋１９４によって箱型に形成されている。
これら、カバー本体１９２および蓋１９４は、ステンレス板によって成型され、内部にコインホッパ１６２が配置されている。
換言すれば、コインホッパ１６２は、安全カバー１６４によって外周を囲われている。
【００３３】
蓋１９４は、下面が開放された箱型であり、カバー本体１９２の後壁２１４にシャフト１９６によって上下方向にピボット可能に支持され、かつ、前記カバー本体１９２の上面開口を覆い、ロック装置１９８によってカバー本体１９２にロック可能である。
したがって、安全カバー１６４は、コインホッパ１６２の金庫機能を有している。
換言すれば、コインホッパ１６２を内蔵した安全カバー１６４は、金庫式コイン払出装置である。
【００３４】
カバー本体１９２の前部かつ上部内面に斜め後ろ下方に伸びる前傾斜部２００及び後部かつ上部内面に後傾斜部２０２が固定され、それらの下端部は、ボウル１７０の上部開口１８０内に位置している。
これにより、カバー本体１９２の上部開口に投入されたコインが、それら傾斜部２００、２０２に案内され、上部開口１８０を通過してボウル１７０内に落下するようにしてある。
【００３５】
コインホッパ１６２のコイン出口１９０に相対してカバー本体１９２に金庫払出口２０４が形成されている。
図３に示すように、金庫払出口２０４は、カバー本体１９２の前壁２０８の下縁部に形成され、横長のスリット状をしている。
この金庫払出口２０４とコインホッパ１６２のコイン出口１９０は、偏平の先すぼまりのノズル状に形成され、かつ、カバー本体１９２内に固定されている案内体２０６によって、接続されている。
換言すれば、コイン出口１９０から弾き出されたコインは、案内体２０６によって案内され、傾斜状態で金庫出口２０４から払い出される。
【００３６】
金庫払出口２０４は、仕切板１０２に沿ってコイン払出装置５０を金庫室１１２の所定の位置まで押し込んだ場合、金庫室１１２，１１４、１１６、１１８を画定するため立設したプレート２０５に横長に形成されたコイン払出口１３２に隣接して位置される。
カバー本体１９２の金庫払出口２０４の上方の前壁２０８に矩形の開口２１０が形成されている。
【００３７】
開口２１０の内方にモータ１７４の駆動及び前記カウントセンサ等のための第一コネクタ２１２が固定されている。
換言すれば、第一コネクタ２１２は安全カバー１６４内に位置し、外面に突出しないので、金庫式ホッパ５０を搬送する際、ぶつけて破損することがない。
カバー本体１９２の前壁２０８と相対する後壁２１４にはリング状に形成したハンドル２１６が固定されている。
金庫式コイン払出装置５０は、このハンドル２１６を持って搬送される。
【００３８】
コイン処理装置１０１の金庫室１１２の前壁２０８に相対するプレート２０５には、第一コネクタ２１２と嵌まり合う第二コネクタ２１８が固定されている。
金庫式コイン払出装置５０を金庫室１１２に装着した場合、この第二コネクタ２１８と第一コネクタ２１２とが嵌まり合い、モータ１７４に対する電源ラインや、センサ及びボウル１７０内のエンプティセンサ等の信号線が自動的に接続される。
【００３９】
第二コネクタ２１８は、制御のための回路や電源回路に接続されている。
なお、モータ１７４が電気モータでない場合、例えば、エアモータの場合、作動用の圧縮空気を供給するため、第一コネクタ２１２及び第二コネクタ２１８とは、パイプのコネクタを含むことができる。
【００４０】
次に、回転ディスク１６０の作動不能化装置１６６を図４及び図７を参照して説明する。
図７は、作動不能化装置１６６の第一実施例である。
本実施例の作動不能化装置１６６は、回転ディスク１６０の回転を阻止する回転阻止装置２２２である。
回転阻止装置２２２は、金庫式コイン払出装置５０の第一コネクタ２１２が第二コネクタ２１８から外された場合、回転ディスク１６０若しくは伝達機構１７６にストッパを作用させて回転ディスク１６０が回転しないようにする機能を有する。
【００４１】
図７に示すように、回転阻止装置２２２は、ベース１６８に固定されたシャフト２２４にレバー２２６をピボット可能に取付けてある。
レバー２２６の一端部にギヤ１７８の歯に噛み合う停止歯２２８が形成されている。
レバー２２６の他端部に、ベース１６８に固定されたソレノイド２３０のプランジャ２３２が取り付けられ、プランジャ２３２がソレノイド２３０の励磁によって引かれることにより、停止歯２２８がギヤ１７８から離れるようにしてある。
【００４２】
レバー２２６は、スプリング２３４によって停止歯２２８をギヤ１７８に接触させるよう付勢されている。
換言すれば、ソレノイド２３０が消滋された場合、スプリング２３４によって停止歯２２８がギヤ１７８に噛み合うよう移動される。
すなわち、ソレノイド２３０への給電がストップした場合、停止歯２２８がギヤ１７８に噛み合い、ギヤ１７８は回転することができない。
【００４３】
したがって、回転阻止装置２２２は、回転ディスク１６０を回転させない同様の機能を有する他の装置に変更することができる。
例えば、ギヤ１７８を貫通する孔を設け、その孔にソレノイド２３０が消磁された場合、ピンを挿入すること、又は、回転ディスク１６０の通孔１８２に直接ピンを挿入することができる。
【００４４】
さらに、モーター１７４の回転をウォームギヤに伝達し、そのウォームギヤでウォームホイールであるギヤ１７８を駆動することができる。
すなわち、ウォームギヤとウォームホイールとのセルフロック機能を活用して回転阻止装置２２２にすることができる。
回転阻止装置２２２が機能している場合、金庫払出口２０４及びコイン出口１９０を通して器具を挿入し、回転ディスク１６０を回転させようとしても、回転阻止装置２２２によってギヤ１７８が回転できないので、ボウル１７０内のコインが払い出されることがない。
【００４５】
作動不能化装置２２０の第二の実施例は、図４に示すように、金庫払出口２０４を閉止するシャッタ２３６である。
シャッタ２３６は、カバー本体１９２の底壁に沿って、ソレノイド２３８によってベース１６８に沿ってスライド可能である。
シャッタ２３６は、ソレノイド２３８の励磁によるプランジャ２４０の引き込みにより金庫払出口２０４を開口し（図５参照）、消磁したときスプリング（図示せず）により、金庫払出口２０４を閉止するよう移動される。
【００４６】
したがって、シャッタ２３６が金庫払出口２０４を閉止している場合、器具を金庫払出口２０４から挿入することが出来ない。
結果として、回転ディスク１６０を回転させることが出来ないので、ボウル１７０内のコインを不正に払い出すことができない。
なお、回転阻止装置２２２及びシャッタ２３６は、両方用い、又は、何れか一つを選択的に用いることができる。
【００４７】
次に本実施例の作用を説明する。
各金庫式コイン払出装置５０、１００、１０及び１を各仕切板１０２、１０４、１０６及び１０８に沿わせて挿入した場合、各第一コネクタ２１２はコイン処理装置１０１に固定された第二コネクタ２１８に嵌まり込み、モータ１７４に通電可能になると共に制御信号の通信が可能になる。
また、各金庫払出口２０４は、払出口１３２、１３４、１３６及び１３８に隣接して位置する。
そして、ソレノイド２３０及び２３８に通電される。
【００４８】
ソレノイド２３０の励磁によって、レバー２２６が図７において反時計方向にピボット運動され、停止歯２２８がギヤ１７８から離れる。
これにより、ギヤ１７８はモータ１７４によって回転可能になる。
また、ソレノイド２３８の励磁によって、シャッタ２３６が図５の開口位置に移動されるため、金庫払出口２０４を開口するので、コイン出口１９０から送り出されたコインは、金庫払出口２０４から払い出し可能になる。
【００４９】
次に例として４８２円を払い出すケースを説明する。
換言すれば、コイン払出装置１００から４個、コイン払出装置１０から３個、コイン払出装置５０から１個およびコイン払出装置１から２個払出す。
払出を可及的速やかに行ない、かつ、起動電流の重畳を防止して装置を安価に作るため、払い出し数の多い順に僅かに起動時期をずらして選択したコイン払出装置を始動させる。
【００５０】
具体的には、コイン払出装置１００、コイン払出装置１０、コイン払出装置１そしてコイン払出装置５０の順に起動する。
各コイン払出装置１００、１０、１及び５０にそれぞれ前記カウントのためのセンサによって、前記所定数のコインの送り出しを検知した場合、制御装置からの停止信号により各コイン払出装置のモータ１７４が停止される。
【００５１】
コイン払出装置５０の金庫払出口２０４から送り出された５０円コインは、払出口１３２から落下ダクト１２０内に落下し、僅か下方に位置する第一傾斜ガイド板１４２に受け止められ、かつ、ダクト側壁に案内されて、送り出し方向と直角方向にその傾斜によって滑り落ちる。
第１傾斜ガイド板１４２の先端から落下した５０円コインは、その僅か下方に位置する第２傾斜ガイド板１４３によって受け止められ、かつ、周囲のダクト側壁に案内されてその傾斜によって前記送り出し方向と同方向へ滑り落ちる。
【００５２】
第２傾斜ガイド板１４３の下端から落下した５０円コインは、上下方向に延びる落下通路１５０を落下し、第３傾斜ガイド板１４７に落下し、その傾斜により金庫室１１８側へ方向転換されて後、横方向搬送装置１２２上に落下する。
【００５３】
したがって、５０円コインは第１傾斜ガイド板１４２及び第２傾斜ガイド板１４３上を滑るので、その落下速度が減速され、さらに払出口１３２の大幅下方に位置する第２傾斜ガイド板１４３の下端部から落下し、さらに、第３傾斜ガイド板１４７に衝突した後横方向搬送装置１２２上に落下するので、横方向搬送装置１２２に落下した際の衝撃は大幅に減少する。
結果として、５０円コインの踊りは速やかに収束するため、搬送を速やかに行うことができる。
【００５４】
次にコイン払出装置１００から送り出された１００円コインは、５０円コインと同様に払出口１３４から第１傾斜ガイド板１４２及び第２傾斜板１４３を滑り落ちて後、落下通路１５０を落下し、第３傾斜ガイド板１４７により横方向へガイドされて後、横方向搬送装置１２２に落下するので、前述同様１００円コインの踊りは速やかに収束する。
【００５５】
コイン払出装置１０から送り出された１０円コインは、払出口１３６から第１傾斜ガイド板１４２上に落下してその上を滑り落ちた後、落下通路１５０を落下して横方向搬送装置１２２に落下する。
この第１傾斜ガイド１４２先端の横方向搬送装置１２２からの高さは低いので、落下による１０円コインの踊りは速やかに収束する。
【００５６】
コイン払出装置１から送り出された１円コインは、１０円コイン同様第１傾斜ガイド１４２上に落下してその上を滑り落ちた後、落下通路１５０を落下して横方向搬送装置１２２に落下する。
この場合にも第１傾斜ガイド１４２の高さは低いので、１円コインの踊りは速やかに収束する。
【００５７】
したがって、横方向移動装置１２２の移動距離が短い場合であっても、リフト装置１２４に達する前に落下コインの踊りが速やかに収束するので、リフト装置１２４によって確実に持ち上げることができる。
すなわち、コインの所定の処理時間が短縮できると共にコイン処理装置を小型にすることができる。
【００５８】
コイン払出装置５０、１００、１０及び１を金庫室１１２、１１４、１１６及び１１８から取り出した場合、第１コネクタ２１２が第２コネクタ２１８から外れるため、ソレノイド２３０及び２３８は消磁する。
ソレノイド２３０の消磁によって、スプリング２３４によってレバー２２６が時計方向へピボット運動され、停止歯２２８がギヤ１７８に噛みあう。
これにより、ギヤ１７８は回転不能になるので、回転ディスク１６０は回転されない。
【００５９】
また、ソレノイド２３８の消磁によって、シャッタ２３６が金庫払出口２０４を閉止する。
これにより、器具を金庫払出口２０４に外部から挿入出来ないので、回転ディスク１６０は回転されない。
したがって、コイン払出装置５０、１００、１０及び１からコインを不正に取り出すことができない利点がある。
【産業上の利用可能性】
【００６０】
本発明は、自動釣り銭払出装置、自動両替装置等のコイン払出装置に使用することができる。
【図面の簡単な説明】
【００６１】
【図１】図１（Ａ）は、実施例の金庫式コイン払出装置をコイン処理装置である釣り銭機に装着した状態の釣り銭機の断面図である。図１（Ｂ）は、実施例の図１（Ａ）のＸ―Ｘ線断面図である。
【図２】図２は、実施例のコイン処理装置のダクトの分解斜視図である。
【図３】図３は、実施例の金庫式コイン払出装置の斜視図である。
【図４】図４は、実施例の金庫式コイン払出装置の回転ディスクの軸心を通る線上の断面図である。
【図５】図５は、実施例の金庫式コイン払出装置のコイン払出口部の断面図である。
【図６】図６は、実施例の金庫式コイン払出装置を釣り銭機に装着した状態の払出口部の断面図である。
【図７】図７は、実施例の金庫式コイン払出装置の回転ディスクの回転阻止装置の概略図である。
【符号の説明】
【００６２】
１，１０，５０，１００  コイン払出装置
１０１  コイン処理装置
１６０  回転ディスク
１６４  安全カバー
１６６  作動不能化装置
１７０  ボウル
１７４  モータ
１７６  伝達機構
１９０  出口
２０４  払出口
２１０  開口
２１２  コネクタ
２２２  回転阻止装置
２２８  停止歯
２３６  シャッタ
【図１】
2005267133.tif 000003
【図２】
2005267133.tif 000004
【図３】
2005267133.tif 000005
【図４】
2005267133.tif 000006
【図５】
2005267133.tif 000007
【図６】
2005267133.tif 000008
【図７】
2005267133.tif 000009